(57)【要約】【課題】耐荷重性を具えながら、廃棄の際に環境問題を生じさせない、災害時の避難所等での使用に便利な段ボール製組立式ベッドを提供すること。【解決手段】井桁構造体３０をカバー２０で覆った段ボール製組立式ベッドであり、具体的には、カバー２０が上下２枚からなり、その周辺に設けた切込を、井桁構造体３０の周辺の上下中間位置に設けた切込と噛合わせた段ボール製組立式ベッド、さらに、井桁構造体３０の切込が、入口近傍に突起を具え、該突起がカバー２０に設けた差込孔に嵌込まれるようにした段ボール製組立式ベッド、また、さらに、上下カバー２０の連結部に、井桁構造体３０に噛合わされる、折畳みによる弾性反発力を利用したロック部材５０を挿入した段ボール製組立式ベッドによって、長期間の形態保持能力を維持可能とした。複数のユニットＵを連結部材４０により連結し、折畳み可能とすれば、幅広い身長に対応することができる。【選択図】図３
2009005902.tif 000002
【特許請求の範囲】
【請求項１】
井桁構造体をカバーで覆ったことを特徴とする、段ボール製組立式ベッド。
【請求項２】
前記カバーが上下２枚からなり、その周辺に設けた切込を、前記井桁構造体の周辺の上下中間位置に設けた切込と噛合わせた、請求項１の段ボール製組立式ベッド。
【請求項３】
前記井桁構造体の切込が、入口近傍に突起を具え、該突起が前記カバーに設けた差込孔に嵌込まれるようにした、請求項１又は２の段ボール製組立式ベッド。
【請求項４】
前記上下カバーの連結部に、前記井桁構造体に噛合わされる、折畳みによる弾性反発力を利用したロック部材を挿入した、請求項１から３のいずれかの段ボール製組立式ベッド。
【請求項５】
複数のユニットを連結部材により連結し、且つ、折畳み可能とした、請求項１から４のいずれかの段ボール製組立式ベッド。
【発明の詳細な説明】
【技術分野】
【０００１】
本発明は、段ボール製組立式ベッドに関する。
【背景技術】
【０００２】
大規模地震が発生したような場合、避難者は、学校の体育館のような公共施設に、一時的に収容されることが多い。そのような場合、避難者は、床に、毛布や布団を敷いただけで寝ることを余儀なくされることが多い。特に、高齢者や乳幼児には、そのような状況で寝ることは辛いことである。そこで、このような状況に迅速に対応できる、軽量で、運搬・保管に便利で、簡易に組立てられ、且つ、不要となったときには、環境問題を起こさないで廃棄できるようなベッドが求められる。
【０００３】
避難所用仮設ベッドの従来技術としては、特許文献１のものがある。これは、上下二段の寝台を分離して各寝台を折畳むことが可能であって、ベッドの上段から下段にかけその周囲に視線を遮る遮蔽手段を設けた避難所用仮設ベッドを開示する。
【特許文献１】特開平９‐８４６６４号公報
【発明の開示】
【発明が解決しようとする課題】
【０００４】
しかし、特許文献１の仮設ベッドは、フレームがスチール製又はアルミ製の中空パイプからなるものであるため、重量が大きい。そして、仮設ベッドが避難所で使用される期間は限られており、また、一度使用されてから次に使用されるまでの期間が想定できないため、収納場所や方法等に問題がある。長期間使用されない場合は、腐食が進む。それを防止するために、一度使用された後に廃棄することとすると、環境汚染を招く。
【０００５】
そこで、本発明は、上記の点に鑑み、重さや、使用後の収納方法又は処理方法の点で、従来の金属製仮設ベッドが有した前記課題を解決することを目的とする。本発明のさらなる目的は、複数枚の部材からなる段ボール製組立式ベッドでありながら、紙素材同士の連結部を工夫して外れ難くし、以て、完成品の強度を、成人による使用に堪えるように上げることである。また、災害時に、被災者自身の手でも、簡単に組立てることが可能な構造にすることも、本発明の目的の一つである。
【課題を解決するための手段】
【０００６】
本発明は、井桁構造体をカバーで覆ったことを特徴とする段ボール製組立式ベッドによって、前記課題を解決する。
そして、具体的態様としては、前記カバーが上下２枚からなり、その周辺に設けた切込を、前記井桁構造体の周辺の上下中間位置に設けた切込と噛合わせた段ボール製組立式ベッドであり、さらに、
前記井桁構造体の切込が、入口近傍に突起を具え、該突起が前記カバーに設けた差込孔に嵌込まれるようにした段ボール製組立式ベッドであり、また、さらに、前記上下カバーの連結部に、前記井桁構造体に噛合わされる、折畳みによる弾性反発力を利用したロック部材を挿入した段ボール製組立式ベッドである。
本発明の段ボール製組立式ベッドにおいては、複数のユニットを連結部材により連結し、且つ、折畳み可能とするのが好適である。
【発明の効果】
【０００７】
本発明の段ボール製組立式ベッドによれば、急な災害等で、避難所の固い床の上に毛布や布団を敷くのみで寝ることを余儀なくされていた被災者に、ベッドを使用することを可能にすることにより、睡眠環境を、簡便な手段で、大幅に向上させることが可能となる。
また、紙素材同士の連結部に、同じく（段ボール）紙製のロック部材を用いることにより、長期にわたり、ベッドとしての形態保持能力を維持することができる。
【０００８】
また、複数のユニットを連結可能としたことで、大人から子供まで、幅広い身長に対応することが可能である。
【発明を実施するための最良の形態】
【０００９】
図を参照しながら、本発明を構成する部材の構造及び組立て方を説明する。なお、全ての図中、間隔が狭い平行な破線は、折目を表す。
図１は、本発明の段ボール製組立式ベッドの一つの実施形態の、使用時の状態の斜視図、図２は、折畳んだ状態の斜視図、図３は、一つのユニットの組立途中の分解図である。
図にあるように、この段ボール製組立式ベッド１０は、３つのユニットＵを連結部材で連結したものであり、１つのユニットＵは、カバー２０、井桁構造体３０、連結部材４０、及びロック部材５０から構成される。
なお、図１及び２において、連結部材４０及びロック部材５０部分には、カバー２０との見分け易さを考慮して、ハッチングを施してある。
【００１０】
図４は、カバー２０の平面図である。図に示すように、カバー２０は、ほぼ正方形の四角形状を有し、折目を境に、中心から底面２１、側面２３、台形面２５、及び、その他の三角面２７からなる。
周辺には複数の切込２２があり、この切込２２に対応して差込孔２４が設けられている。対向する１組の折目上には、複数の連結孔２６が打抜かれている。
【００１１】
図５は、井桁構造体３０を構成する井桁部材３０Ａ及び３０Ｂの正面図である。  図に示すように、これらの井桁部材は、ほぼ長方形であり、井桁部材３０Ａと３０Ｂは、長辺の長さが異なるのみである。長辺の一方には、井桁部材同士を噛合わせるための切込３２が、両短辺には、前記カバー２０及び後述のロック部材５０と噛合わせるための切込３８が設けられている。この切込３８は、図３の井桁構造体３０において、周辺の上下中間位置に来る。この切込３８には、その入口近傍に、切込幅を縮めるように互いに近づく方向に突出した、突起ｐが設けてある。
【００１２】
図６は、連結部材４０の平面図である。連結部材４０は、全体として、蝶に似た形状を有し、中央の長方形面４１と四方の突出片４３からなる。図中、縦方向の中央折目４ｆ１の長さが、前記カバーの連結孔２６の長さに対応する。
【００１３】
図７は、２種のロック部材５０Ａ及び５０Ｂの正面図である。ロック部材５０Ａ及び５０Ｂは、長方形の４つの角を二等辺三角形状に切取った形状を有する。すなわち、中央の折目５ｆで折曲げると、底辺の長い台形状になる。２種のロック部材は、前記井桁部材３０Ａ及び３０Ｂと同様に、その底辺の長さにおいて異なるのみである。
前記台形状の上辺上には、井桁部材の数に対応するだけの複数の切込５２が設けられている。
【００１４】
本発明の一つの実施形態を構成する部材は以上である。なお、図１及び２に示した実施形態で使用する部材は、カバー６枚、井桁部材Ａ及びＢをそれぞれ１５枚ずつ、連結部材１２枚、ロック部材Ａ及びＢをそれぞれ６枚ずつであり、従って、１ユニットを構成する部材は、カバー２枚、井桁部材Ａ及びＢそれぞれ５枚ずつ、ロック部材Ａ及びＢそれぞれ２枚ずつであり、ユニットを連結する場合にはさらに連結部材４枚を必要とする。
なお、井桁部材やロック部材は全て同じ長さのものを用いても構わない。
【００１５】
次に、組立て方を説明する。
第１のカバー２０の折目を全て同じ方向に折る。井桁部材３０Ａ及び３０Ｂをそれぞれ５枚ずつ、その切込み３２で噛合わせたもの（井桁構造体３０）を、カバー２０の底面２１の上に配置する。カバー外周の４つの台形面２５を、井桁部材短辺上の切込３８に折込む。切込３８の突起ｐは、カバー２０の差込孔２４に嵌るようになっている。
この時、カバー２０の底面２１と台形面２５は平行になる。
【００１６】
次に、折目を折った第２のカバー２０を、井桁構造体３０の上に被せて、カバー２０同士を向い合わせる。上記第１のカバー２０と同じように、４つの台形面２５を井桁部材の切込３８に折込み、井桁部材３０の前記突起ｐを差込孔２４に嵌め込む。この時、第１及び第２のカバー２０の台形面２５同士は重なる。
【００１７】
井桁部材３０に突起ｐが形成されていることにより、カバー２０と井桁部材３０の連結は確実になる。しかし、成人の全体重を支えるために、この連結はより強固であることが好ましい。そこで、ロック部材５０Ａ及び５０Ｂを、それぞれ２枚ずつ、中央折目５ｆで折畳み、折目を外側にして、カバー２０の台形面２５同士の間に一枚ずつ挟込む。
ロック部材５０の切込５２は、井桁部材の切込３８と噛合い、折畳んだ状態から元に戻ろうとする弾性反発力で、前記２枚のカバー２０の台形面２５を確実にロックする。
【００１８】
この時点で、１ユニットＵが完成する。
小さな子供が使用する場合は、１ユニットのみでも十分足りることもあるが、成人に適したサイズを確保するため、連結部材４０で、ユニット同士を連結する。
【００１９】
図８は、連結部材４０を、カバー２０の連結孔２６に挿入した状態を内側から見た部分拡大斜視図である。以下、図６及び８を参照しながら、連結部材による連結方法を説明する。
連結部材４０は、ユニットＵの計４つの辺上にそれぞれ開いた複数の連結孔２６のうち、いずれか一辺上の連結孔に、対応する数だけ挿入する。
上述したように、連結部材４０の中央折目４ｆ１の長さが、カバー２０の連結孔２６の長さに対応するので、当該長さを超える４つの突出片４３を、図６中、横方向に平行に走る２つの折目４ｆ２で折曲げて、挿入可能な幅にする。そして、中央折目４ｆ１を境に、一方は１つのユニットに、他方は、また別のユニットに挿入する。
【００２０】
図８に示すように、前記連結孔２６に挿入された連結部材４０は、紙の弾性回復力で突出片４３が、矢印方向に起上がり、連結孔２６の幅方向に引掛かることにより、抜けなくなる。これで、連結部材による連結は完了する。
【００２１】
なお、連結するユニットの数は、使用者の身長や、用途（単に、座るための台等）に合わせて、調節すればよい。３つ以上のユニットを連結する場合、ベッド全体を折畳むことが可能なように、一方の連結で上辺の連結孔を使用したら、もう一方の連結では、下辺の連結孔を使用する。
【００２２】
上記のように、井桁構造体の四方をカバーで覆う形態であれば、井桁構造体の剛性により、成人の体重に十分に堪えられる強度のあるベッドを、段ボール製で作ることができる。また、各部材がコンパクトであり、また、井桁構造体は、一旦、組立てたものであっても、扁平な形に押潰せるため、収納に便利である。
【００２３】
なお、カバー２０の辺の長さに等しいロック部材ではなく、カバーの辺の長さより短いロック部材を、カバーの１辺上に複数枚ずつ用いることも考えられる。  
【００２４】
本発明の段ボール製組立式ベッドは、紙素材のみからなるため、廃棄に際しても、環境問題を起こしにくい。
【００２５】
念のため付加すれば、各部材の切込や孔の数は、本明細書において特に言及したものや、図示したものに限定されない。また、複数のユニットを如何なる形状に連結するかについても、具体的に開示されたものに限定されることはない。
【図面の簡単な説明】
【００２６】
【図１】本発明の段ボール製組立式ベッドの、使用時の状態の斜視図。
【図２】段ボール製組立式ベッドの折畳まれた状態の斜視図。
【図３】段ボール製組立式ベッドの１ユニットの組立途中の分解図。
【図４】カバーの平面図。
【図５】井桁部材の正面図。
【図６】連結部材の平面図。
【図７】ロック部材の平面図。
【図８】連結部材がカバーに挿入された状態を内側から見た部分拡大斜視図。
【符号の説明】
【００２７】
１０：段ボール製組立式ベッド
２０：カバー
３０：井桁構造体
４０：連結部材
５０：ロック部材
Ｕ：ユニット
【図１】
2009005902.tif 000003
【図２】
2009005902.tif 000004
【図３】
2009005902.tif 000005
【図４】
2009005902.tif 000006
【図５】
2009005902.tif 000007
【図６】
2009005902.tif 000008
【図７】
2009005902.tif 000009
【図８】
2009005902.tif 000010